(57)【要約】      （修正有）【顆題】優良な射光特性を有する導光棒及び省電力、高輝度且つ環境保護の需要を満たした照明モジュールを提供する。【解決手段】内側又は外側に微細構造層又は反射層が形成され、且つ外側に定位柱が形成される導光棒１２と、該導光棒と発光ダイオードモジュール１８の間に嵌合されるソケット１６とを有する照明モジュール１０であって、定位部１４、ソケット、発光ダイオードモジュール又はホルダー２２は、少なくとも一つのガイド溝１６１を有し、導光棒の定位柱１２３を嵌合することを特徴とする。【選択図】図１
0003166908.tif 000002
【実用新案登録請求の範囲】
【請求項１】
照明モジュールであって、
対向する第一端及び第二端を有し、内側又は外側に微細構造層又は反射層が形成され、且つ外側に定位柱が形成される導光棒（ｌｉｇｈｔ  ｂａｒ）と、
少なくとも一つの発光ダイオードを有し、前記導光棒の前記第一端に隣接し、前記発光ダイオードの光線は、前記微細構造層又は前記反射層により反射或いは拡散して導光棒全体に分布する発光ダイオードモジュールと、
前記導光棒の前記第二端に接続される定位部と、
前記導光棒と前記発光ダイオードモジュールの間に嵌合され、前記導光棒と前記発光ダイオードモジュールを接続するソケットと、
前記発光ダイオードモジュールを嵌合するホルダーと、
を有し、そのうち、
前記定位部、前記ソケット、前記発光ダイオードモジュール又はホルダーは、少なくとも一つの、前記導光棒の前記定位柱を嵌合するガイド溝を有することを特徴とする照明モジュール。
【請求項２】
前記ホルダーは、前記発光ダイオードと電気的に接続される少なくとも一つの電極を有することを特徴とする請求項１記載の照明モジュール。
【請求項３】
前記発光ダイオードモジュール及び前記導光棒に貼付される放熱部を更に有することを特徴とする請求項１記載の照明モジュール。
【請求項４】
前記導光棒の前記第二端に反射層が形成されることを特徴とする請求項１記載の照明モジュール。
【請求項５】
前記定位柱は、多辺形断面又は、円弧形断面を有することを特徴とする請求項１記載の照明モジュール。
【請求項６】
前記発光ダイオードがＡＣ発光ダイオードであることを特徴とする請求項１記載の照明モジュール。
【請求項７】
前記ソケットは突出部を有し、且つ前記発光ダイオードモジュールはプリント基板を有し、前記突出部と前記プリント基板が接合されることを特徴とする請求項１記載の照明モジュール。
【請求項８】
照明モジュールに用いる導光棒であって、
前記導光棒の外側に外部部材と嵌合する定位柱が形成され、前記導光棒の内側又は外側に反射層が形成され、且つ、前記反射層の前記導光棒における分布位置は、数式
ｔａｎθ＝  （Ｒ−Ｈ）／Ｗ  且つ１＜ｔａｎθ＜４．２、
に符合し、
そのうち、θは、前記導光棒の円形断面での、前記反射層分布に対応する中心角の半分であり、Ｒは、前記円形断面の半径であり、Ｈは、前記円形断面での、前記反射層の最大半径深度であり、且つ、Ｗは、前記円形断面での、前記反射層の最大弦長の半分であることを特徴とする照明モジュールの導光棒。
【請求項９】
前記導光棒の射光角は、数式
Θｏｕｔ  ＝  Ｋ×（２θ）  且つ  １＜Ｋ＜１．４
に符合し、
そのうち、Θｏｕｔは、前記導光棒の前記射光角であり、Ｋは、定数であり、且つ、２θは、前記反射層分布に対応する前記中心角であることを特徴とする請求項８記載の導光棒。
【考案の詳細な説明】
【技術分野】
【０００１】
本考案は、導光棒と照明モジュールに関するものである。
【背景技術】
【０００２】
現在市場のＰＬ型卓上ライト（Ｐａｒａｌｌｅｌ  Ｌａｍｐ）には、通常蛍光灯管が使用される。しかし、環境保護の観点から、発光ダイオードの照明源が蛍光灯よりも優れているのは明らかである。よって、発光ダイオードの照明源を如何に利用して省電力、高輝度、且つ環境保護の需要を満たした照明モジュールが得られるかが、重要な課題である。更に、発光ダイオードに導光棒（ｌｉｇｈｔ  ｂａｒ）を組み合わせて照明光源とするとき、導光棒の射光の角度、光の均等性、及び射光効率を有効に調整すると、導光棒に優良な射光特性を備えることができ、更に幅広く応用できる。
【考案の概要】
【考案が解決しようとする課題】
【０００３】
本考案は、優良な射光特性を有する導光棒及び省電力、高輝度且つ環境保護の需要を満たした照明モジュールを提供する。
【課題を解決するための手段】
【０００４】
上述の一つ、一部又は全ての目的、或いはその他の目的を達成するために、本考案の一実施例は、照明モジュールを提供し、前記照明モジュールは、導光棒、発光ダイオードモジュール、定位部、ソケット、及びホルダーを有する。導光棒は、対向する第一端及び第二端を有し、導光棒の内側に微細構造層又は反射層が形成され、且つ、導光棒の外側に定位柱が形成される。発光ダイオードモジュールは、少なくとも一つの発光ダイオードを有し、且つ導光棒の第一端に隣接する。発光ダイオードが射出した光線は、微細構造層または反射層により反射又は拡散され、導光棒全体に分布する。定位部は、導光棒の第二端に接続され、ソケットは導光棒と発光ダイオードモジュールとの間に嵌合され、導光棒と発光ダイオードモジュールを接続する。ホルダーは、発光ダイオードモジュールに接続される。定位部、ソケット、発光ダイオードモジュール又はホルダーは少なくとも一つの、導光棒の定位柱と係合するガイド溝を有する。
【０００５】
一実施例において、ホルダーは、発光ダイオードと電気的に接続される少なくとも一つの電極を有する。放熱部が発光ダイオードと導光棒に貼付される。
【０００６】
一実施例において、ソケットは、突出部を有し、発光ダイオードモジュールは、プリント基板を有し、前記突出部と前記プリント基板は組合される。
【０００７】
本考案の別の実施例は、照明モジュールに用いられる導光棒を提供し、導光棒の外側には、外部部材に嵌合される定位柱が形成される。導光棒の内側又は外側に反射層が形成され、且つ反射層が導光棒に分布する位置は以下の数式に符合する。
【０００８】
ｔａｎθ＝  （Ｒ−Ｈ）／Ｗ  且つ１＜ｔａｎθ＜４．２。
【０００９】
そのうち、θは、導光棒の円形断面での、反射層分布に対応する中心角の半分である。Ｒは、円形断面の半径である。Ｈは、円形断面での、反射層の最大半径深度である。また、Ｗは、円形断面での、反射層の最大弦長の半分である。
【００１０】
一実施例において、導光棒の射光角は、以下の数式に符合する。
【００１１】
Θｏｕｔ  ＝  Ｋ×（２θ）  且つ  １＜Ｋ＜１．４。
【００１２】
そのうち、Θｏｕｔは、導光棒の射光角であり、Ｋは、定数であり、また、（２θ）は、反射層分布に対応する中心角である。
【考案の効果】
【００１３】
上記各実施例の設計により、導光棒は有効に光拡散でき、優良な射光特性を有する。発光ダイオードを照明器具の光源として組み合わせると、省電力、高輝度且つ環境保護の需要を満たす照明モジュールを得ることができる。更に、導光棒の定位柱とガイド溝を嵌合した後の定位効果により光線の射光方向が確保される。
【００１４】
本考案の上述した特徴及びメリットを更にわかりやすくするために、以下においていくつかの実施例を上げるとともに、図面もあわせて、更に詳しく説明する。
【図面の簡単な説明】
【００１５】
【図１】本考案の実施例の照明モジュールの部材分解図である。
【図２】定位柱とガイド溝の嵌合を示す図である。
【図３】ソケットと発光ダイオードモジュールの嵌合を示す図である。
【図４】照明モジュール部材組み合わせ後の立体図である。
【図５】照明モジュールの応用例の図である。
【図６】反射層の導光棒における分布位置関係図である。
【考案を実施するための形態】
【００１６】
下記の実施例の説明は付加の図面を参照し、本考案が実施できる特定実施例を例示したものである。本考案に記載された方向の用語（例えば、上、下、左、右、前または後等）は単に参考付加図面の方向である。よって、使用された方向用語は説明するために用いられるのであり、本考案を制限するものではない。
【００１７】
図１は、本考案の一実施例の照明モジュール１０の構造分解図である。照明モジュール１０は、少なくとも、導光棒１２、定位部１４、ソケット１６、発光ダイオードモジュール１８及びホルダー２２を有する。導光棒１２の内側に微細構造層１２１又は反射層１２２が形成され、且つ発光ダイオードモジュール１８は導光棒１２の一端Ｐに隣接している。このように、発光ダイオード１８１が射出する光線は、微細構造層１２１又は反射層１２２により、反射又は拡散して導光棒１２中全体に分布する。定位部１４は、導光棒１２の一端Ｑに接続され、定位部１４により照明モジュール１０を照明器具に固定することができる。ソケット１６は、導光棒１２と発光ダイオードモジュール１８との間に嵌合され、導光棒１２と発光ダイオードモジュール１８を接続し、且つ電球ホルダー２２は、発光ダイオードモジュール１８を接続する。本実施例において、導光棒１２の外側に定位柱１２３が形成され、ソケット１６にガイド溝１６１が形成される。ソケット１６に導光棒１２が嵌められた時、定位柱１２３はガイド溝１６１に嵌合され、定位効果が得られることにより、光線の射出方向が確保される。定位柱１２３とガイド溝１６１の外形と寸法は、限定されず、適切な定位効果が得られればよい。定位柱１２３とガイド溝１６１の嵌合は、図２の拡大図に明瞭に示す通りである。定位柱１２３は、例えば、多辺形断面又は円弧形断面のいずれでもよい。更に、実施例において、ソケット１６は、その突出部１６２により、発光ダイオードモジュール１８の金属コアプリント基板（ＭＣＰＣＢ）１８２に接続できる。前記接続設計は、図３の拡大図に明瞭に示すとおりである。他に、図１に示すように、実施例において、放熱部２４を発光ダイオードモジュール１８及び導光棒１２に貼付して放熱効果を得ることができる。又、導光棒１２は、定位部１４の一端Ｑに隣接して、反射層１２２を更に形成することができる。更に、ホルダー２２は少なくとも一つの電極２２１を有し、電極２２１は発光ダイオード１８１と電気的に接続する。又、発光ダイオード１８１は、例えば、ＡＣ発光ダイオードによりコンバータを省略することができ、更にコストが削減できる。
【００１８】
図４は、照明モジュール１０ユニットの組み立て後の立体図である。照明モジュール１０は照明に用いられ、例えば、図５の卓上ライト３０に応用可能である。本実施例の設計に拠れば、導光棒１２が有効に光拡散し、且つ優良な射光特性を有するため、発光ダイオード１８１を照明器具の照明源に組み合わせて使用すると、省電力、高輝度且つ環境保護の需要に符合する照明モジュールが得られる。更に、導光棒の定位柱１２３とソケットのガイド溝１６１の嵌合後の定位効果により、光線の射光方向が確保できる。他に、定位柱１２３は、ソケット１６のガイド溝１６１に嵌合されるとは限らず、ガイド溝は、例えば、定位部１４、発光ダイオードモジュール１８、ホルダー２２又は放熱部２４など照明モジュール１０のその他の部材に形成され、更に定位柱１２３に嵌合されても、同様の定位効果が得られる。
【００１９】
実施例において、図６に示されるように、反射層１２２の導光棒における分布位置は、以下の数式に符合する。
【００２０】
ｔａｎθ＝  （Ｒ−Ｈ）／Ｗ  且つ１＜ｔａｎθ＜４．２。
【００２１】
そのうち、θは、導光棒１２の円形断面での、反射層１２２分布に対応する中心角の半分であり、Ｒは、円形断面の半径であり、Ｈは、円形断面での、反射層１２２の最大半径深度であり、且つＷは、円形断面での、反射層１２２の最大弦長の半分である。
【００２２】
更に、実施例において、図６に示すように、導光棒１２の射光角Θｏｕｔは、以下の数式に符合する。
【００２３】
Θｏｕｔ  ＝  Ｋ×（２θ）  且つ  １＜Ｋ＜１．４
【００２４】
そのうち、Θｏｕｔは、導光棒の射光角であり、Ｋは、定数であり、又、（２θ）は、反射層１２２分布に対応する中心角である。
【００２５】
反射層１２２の分布深度又は分布幅（弦長）を変更することにより、導光棒１２の射光角、光均等性及び射光効率などを有効に調整できる。このように、導光棒１２に優良な射光特性を備え、又は実際の使用環境に応じて反射層１２２の分布を調整でき、導光棒１２を更に幅広く応用できる。
【００２６】
本考案は、上記のように多くの実施例が述べられているが、本考案をこれだけに限定するものではない。本考案の本質及び範囲内を超えなければ、如何なる変更及び付加も許される。よって、本考案に係る範囲は、特許請求の範囲に定義されるものを基準とする。本考案の実施例又は、特許請求の範囲により、本考案に開示された全ての目的又はメリット又は特徴を達成するものではない。要約及び名称は特許文献の検索に用いるものであり、本考案の保護範囲を制限するものではない。
【符号の説明】
【００２７】
１０     照明モジュール
１２     導光棒
１２１     微細構造層
１２２     反射層
１２３     定位柱
１４     定位部
１６     ソケット
１６１   ガイド溝
１６２     突出部
１８     発光ダイオードモジュール
１８１     発光ダイオード
１８２     金属コアプリント配線板
２２     ホルダー
２２１     電極
２４     放熱部
３０     卓上ライト
Ｐ、Ｑ      導光棒の端
θ      中心角
Ｒ        円形断面半径
Ｈ        半径深度
Ｗ        円形断面弦長
【図１】
0003166908.tif 000003
【図２】
0003166908.tif 000004
【図３】
0003166908.tif 000005
【図４】
0003166908.tif 000006
【図５】
0003166908.tif 000007
【図６】
0003166908.tif 000008
【手続補正書】
【提出日】平成23年1月25日(2011.1.25)
【手続補正１】
【補正対象書類名】実用新案登録請求の範囲
【補正対象項目名】全文
【補正方法】変更
【補正の内容】
【実用新案登録請求の範囲】
【請求項１】
照明モジュールであって、
対向する第一端及び第二端を有し、内側又は外側に微細構造層又は反射層が形成され、且つ外側に定位柱が形成される導光棒（ｌｉｇｈｔ  ｂａｒ）と、
少なくとも一つの発光ダイオードを有し、前記導光棒の前記第一端に隣接し、前記発光ダイオードの光線は、前記微細構造層又は前記反射層により反射或いは拡散して導光棒全体に分布する発光ダイオードモジュールと、
前記導光棒の前記第二端に接続される定位部と、
前記導光棒と前記発光ダイオードモジュールの間に嵌合され、前記導光棒と前記発光ダイオードモジュールを接続するソケットと、
前記発光ダイオードモジュールを嵌合するホルダーと、
を有し、そのうち、
前記定位部、前記ソケット、前記発光ダイオードモジュール又はホルダーは、少なくとも一つの、前記導光棒の前記定位柱を嵌合するガイド溝を有することを特徴とする照明モジュール。
【請求項２】
前記ホルダーは、前記発光ダイオードと電気的に接続される少なくとも一つの電極を有することを特徴とする請求項１記載の照明モジュール。
【請求項３】
前記発光ダイオードモジュール及び前記導光棒に貼付される放熱部を更に有することを特徴とする請求項１記載の照明モジュール。
【請求項４】
前記導光棒の前記第二端に反射層が形成されることを特徴とする請求項１記載の照明モジュール。
【請求項５】
前記定位柱は、多辺形断面又は、円弧形断面を有することを特徴とする請求項１記載の照明モジュール。
【請求項６】
前記発光ダイオードがＡＣ発光ダイオードであることを特徴とする請求項１記載の照明モジュール。
【請求項７】
前記ソケットは突出部を有し、且つ前記発光ダイオードモジュールはプリント基板を有し、前記突出部と前記プリント基板が接合されることを特徴とする請求項１記載の照明モジュール。
【請求項８】
照明モジュールに用いられる導光棒として、
前記導光棒の外側に外部部材と嵌合する定位柱が形成され、前記導光棒の内側又は外側に反射層が形成され、且つ、前記反射層の前記導光棒における分布位置は、数式
tanθ= (R-H)/W 且つ1<tanθ<4.2、
に符合し、
そのうち、θは、前記導光棒の円形断面での、前記反射層分布に対応する中心角の半分であり、Rは、前記円形断面の半径であり、Hは、前記円形断面での、前記反射層の最大半径深度であり、且つ、Wは、前記円形断面での、前記反射層の最大弦長の半分である導光棒を用いたことを特徴とする請求項１に記載の照明モジュール。
【請求項９】
前記導光棒の射光角は、数式
Θout = K×(2θ) 且つ  1<K<1.4
に符合し、
そのうち、Θoutは、前記導光棒の前記射光角であり、Kは、定数であり、且つ、2θは、前記反射層分布に対応する前記中心角であることを特徴とする請求項８に記載の照明モジュール。